(57)【要約】【課題】　再生装置内のＰＬＬ回路は、１Ｔ以上離れると正しい位相エラーを出力しなくなり、誤った位相エラーに基づく周波数から脱出する事ができず、擬似ロックに陥ったり、周波数引き込みが困難になる。【解決手段】　まず、連続波期間や特定パターンの繰り返しを検出し、位相エラーの抽出方法を、ゼロクロスタイミングによる方法から、（連続波期間や特定パターンに対する）自走タイミングによる位相エラー抽出に切り替える。さらにランダム期間を再び検出し、再びゼロクロスタイミングによる方法に戻す。連続波期間や特定パターンの繰り返しを検出したときには、自走タイミングに基づいて生成した位相エラーによりＰＬＬ動作（周波数及び位相の引き込み及びロック）を行うように状態を遷移させるようにしたため、ＶＦＯのような連続波やプリアンブル、ランイン領域等において、迅速かつ確実にＰＬＬ動作ができる。【選択図】　　　　　　図１
2004095151.tif 000002
【特許請求の範囲】
【請求項１】
　記録媒体に記録されているディジタル信号を再生して得られた再生信号をクロックに基づきサンプリングして、サンプリング信号を出力するサンプリング手段と、
　前記サンプリング信号をさらにタイミング情報に基づきリサンプリング補間してリサンプリング信号を出力する補間手段と、
　前記リサンプリング信号が一定の反転間隔を有する連続波期間であるか、ランダムな反転間隔のランダム期間であるかを検出する期間検出手段と、
　前記サンプリング信号のゼロクロスに相当する点で前記サンプリング信号の値を抽出し、抽出した値を前記リサンプリング信号の立ち上がり又は立下りに応じて極性を切り替えて第１の位相エラーとして出力する第１の位相エラー検出手段と、
　前記一定の反転間隔と等しい間隔で前記リサンプリング信号の値を抽出し、前記抽出した値の極性を交互に切り替えて第２の位相エラーとして出力する第２の位相エラー検出手段と、
　前記期間検出手段により検出された前記ランダム期間では、前記第１の位相エラー検出手段からの前記第１の位相エラーを選択し、前記期間検出手段により検出された前記連続波期間では、前記第２の位相エラー検出手段からの前記第２の位相エラーを選択して出力する位相エラー選択手段と、
　前記位相エラー選択手段の出力位相エラーを積分するループフィルタ手段と、
　前記ループフィルタ手段の出力信号に基づいて、前記タイミング情報を生成するタイミング情報生成手段とを有し、
　前記補間手段と、前記第１又は第２の位相エラー出力手段と、前記位相エラー選択手段と、前記ループフィルタ手段と、前記タイミング情報生成手段とは、フィードバックループを構成することを特徴とする再生装置。
【請求項２】
　記録媒体に記録されているディジタル信号を再生して得られた再生信号をクロックに基づきサンプリングして、サンプリング信号を出力するサンプリング手段と、
　前記再生信号又は前記サンプリング信号を入力信号として受け、前記クロックに基づき、その入力信号が一定の反転間隔を有する連続波期間であるか、ランダムな反転間隔のランダム期間であるかを検出する期間検出手段と、
　前記再生信号又は前記サンプリング信号を入力信号として受け、前記クロックに基づき、その入力信号のゼロクロスに相当する点で前記入力信号の値を抽出し、抽出した値を前記入力信号の立ち上がり又は立下りに応じて極性を切り替えて第１の位相エラーとして出力する第１の位相エラー検出手段と、
　前記再生信号又は前記サンプリング信号を入力信号として受け、前記クロックに基づき、前記一定の反転間隔と等しい間隔で前記入力信号の値を抽出し、前記抽出した値の極性を交互に切り替えて第２の位相エラーとして出力する第２の位相エラー検出手段と、
　前記期間検出手段により検出された前記ランダム期間では、前記第１の位相エラー検出手段からの前記第１の位相エラーを選択し、前記期間検出手段により検出された前記連続波期間では、前記第２の位相エラー検出手段からの前記第２の位相エラーを選択して出力する位相エラー選択手段と、
　前記位相エラー選択手段から出力される位相エラーに基づいて、前記クロックを生成するクロック生成手段とを有し、
　前記第１又は第２の位相エラー出力手段と、前記位相エラー選択手段と、前記クロック生成手段とは、フィードバックループを構成することを特徴とする再生装置。
【請求項３】
　前記期間検出手段は、その入力信号の反転間隔Ｙが、前記一定反転間隔をＸとしたとき、Ｘ−１≦Ｙ≦Ｘ＋１、Ｘ−２≦Ｙ≦Ｘ、及びＸ≦Ｙ≦Ｘ＋２のいずれか一つの不等式を満足し、かつ、所定の回数連続したときは前記連続波期間として検出し、前記位相エラー選択手段に前記第２の位相エラーを選択させることを特徴とする請求項１又は２記載の再生装置。
【請求項４】
　前記期間検出手段は、その入力信号の立ち上がりの間隔又は立ち下がりの間隔Ｚが、前記一定反転間隔をＸとしたとき、２Ｘ−１≦Ｚ≦２Ｘ＋１、２Ｘ−２≦Ｚ≦２Ｘ、及び２Ｘ≦Ｚ≦２Ｘ＋２のいずれか一つの不等式を満足し、かつ、所定の回数連続したときは前記連続波期間として検出し、前記位相エラー選択手段に前記第２の位相エラーを選択させることを特徴とする請求項１又は２記載の再生装置。
【請求項５】
　前記期間検出手段は、前記入力信号の反転間隔の要素Ｙ（ｉ）が、予め設定しておいた反転間隔の閾値を超えた場合に、前記期間検出手段の動作が終了したとみなして、以降、前記位相エラー選択手段に前記第１の位相エラーを選択させることを特徴とする請求項１乃至４のうちいずれか一項記載の再生装置。
【請求項６】
　記録媒体に記録されているディジタル信号を再生して得られた再生信号をクロックに基づきサンプリングして、サンプリング信号を出力するサンプリング手段と、
　前記再生信号又は前記サンプリング信号を入力信号として受け、前記クロックに基づき、その入力信号のうち、特定パターンの繰り返し期間かランダム期間かを検出する期間検出手段と、
　前記再生信号又は前記サンプリング信号を入力信号として受け、前記クロックに基づき、その入力信号のゼロクロスに相当する点で前記入力信号の値を抽出し、その抽出した値を前記入力信号の立ち上がりか立ち下がりかに応じて極性を切り替えて第１の位相エラーとして出力する第１の位相エラー検出手段と、
　前記再生信号又は前記サンプリング信号を入力信号として受け、前記クロックに基づき、前記特定パターンと等しい間隔で該入力信号の値を抽出し、その抽出した値を前記特定パターンのうち立ち上がりに相当するか立ち下がりに相当するかに応じて極性を切り替えて、第２の位相エラーとして出力する第２の位相エラー検出手段と、
　前記期間検出手段により前記ランダム期間と検出された期間では、前記第１の位相エラー検出手段からの前記第１の位相エラーを選択し、前記期間検出手段により前記特定パターン繰り返し期間と検出された期間では、前記第２の位相エラー検出手段からの前記第２の位相エラーを選択して出力する位相エラー選択手段と、
　前記位相エラー選択手段から出力される位相エラーに基づいて、前記クロックを生成するクロック生成手段とを有し、
　前記第１又は第２の位相エラー出力手段と、前記位相エラー選択手段と、前記クロック生成手段は、フィードバックループを構成することを特徴とする再生装置。
【請求項７】
　記録媒体に記録されているディジタル信号を再生して得られた再生信号をクロックに基づきサンプリングして、サンプリング信号を出力するサンプリング手段と、
　前記サンプリング信号をさらにタイミング情報に基づきリサンプリング補間してリサンプリング信号を出力する補間手段と、
　前記リサンプリング信号が、前記クロックに基づき、特定パターンの繰り返し期間かランダム期間かを検出する期間検出手段と、
　前記クロックに基づき、前記リサンプリング信号のゼロクロスに相当する点で前記リサンプリング信号の値を抽出し、その抽出した値を前記リサンプリング信号の立ち上がりか立ち下がりかに応じて極性を切り替えて第１の位相エラーとして出力する第１の位相エラー検出手段と、
　前記クロックに基づき、前記特定パターンと等しい間隔で前記リサンプリング信号の値を抽出し、その抽出した値を前記特定パターンのうち立ち上がりに相当するか立ち下がりに相当するかに応じて極性を切り替えて、第２の位相エラーとして出力する第２の位相エラー検出手段と、
　前記期間検出手段により前記ランダム期間と検出された期間では、前記第１の位相エラー検出手段からの前記第１の位相エラーを選択し、前記期間検出手段により前記特定パターン繰り返し期間と検出された期間では、前記第２の位相エラー検出手段からの前記第２の位相エラーを選択して出力する位相エラー選択手段と、
　前記位相エラー選択手段の出力位相エラーを積分するループフィルタ手段と、
　前記ループフィルタ手段の出力信号に基づいて、前記タイミング情報を生成するタイミング情報生成手段とを有し、
　前記補間手段と、前記第１又は第２の位相エラー出力手段と、前記位相エラー選択手段と、前記ループフィルタ手段と、前記タイミング情報生成手段とは、フィードバックループを構成することを特徴とする再生装置。
【請求項８】
　前記期間検出手段は、その入力信号の反転間隔の要素Ｙ（ｉ）が、前記特定パターンの反転間隔の要素の数をＪとしたとき、
　Ｙ（ｉ−Ｊ）−１≦Ｙ（ｉ）≦Ｙ（ｉ−Ｊ）＋１、Ｙ（ｉ−Ｊ）−２≦Ｙ（ｉ）≦Ｙ（ｉ−Ｊ）、及び　Ｙ（ｉ−Ｊ）≦Ｙ（ｉ）≦Ｙ（ｉ−Ｊ）＋２
のうちいずれか一つの不等式を満足し、かつ、所定回数連続したとき、前記特定パターン繰り返し期間として検出し、前記位相エラー選択手段に前記第２の位相エラーを選択させることを特徴とする請求項６又は７記載の再生装置。
【請求項９】
　前記期間検出手段は、その入力信号の反転間隔の要素Ｚ（ｉ）が、前記特定パターンの反転間隔の要素をＸ（ｋ）（ｋは１以上の自然数であり、特定パターン内のパターン要素の番号を表す。）としたとき、
　Ｘ（ｋ）−１≦Ｚ（ｉ＋ｋ）≦Ｘ（ｋ）＋１、Ｘ（ｋ）−２≦Ｚ（ｉ＋ｋ）≦Ｘ（ｋ）、及び　Ｘ（ｋ）≦Ｚ（ｉ＋ｋ）≦Ｘ（ｋ）＋２
のうちいずれか一つの不等式を満足し、かつ、所定回数連続したとき、前記特定パターン繰り返し期間として検出し、前記位相エラー選択手段に前記第２の位相エラーを選択させることを特徴とする請求項６又は７記載の再生装置。
【請求項１０】
　前記期間検出手段は、その入力信号の前記特定パターンの反転間隔をＸ（ｉ）（ｉは１以上の自然数であり、特定パターン内のパターン要素の番号を表す。）としたとき、
　　Ｘ（ｉ）×２＜Ｘ（ｉ＋１）、又は　Ｘ（ｉ）＞Ｘ（ｉ＋１）×２
　となるパターンが存在することを利用し、前記入力信号の反転間隔Ｙ（ｉ）が、
　　Ｙ（ｉ）×２＜Ｙ（ｉ＋１）、又は　Ｙ（ｉ）＞Ｙ（ｉ＋１）×２
　となるパターンを検出して、要素比較の対象を決定することを特徴とする請求項６乃至９のうちいずれか一項記載の再生装置。
【請求項１１】
　前記期間検出手段は、前記特定パターン繰り返し期間を検出した後、予め設定したクロック数に到達した時点で動作が終了したものとみなして、以降、前記位相エラー選択手段に前記第１の位相エラーを選択させることを特徴とする請求項６乃至１０のうちいずれか一項記載の再生装置。
【請求項１２】
　前記特定パターンの繰り返しは、５Ｔ・５Ｔ・３Ｔ・３Ｔ・２Ｔ・２Ｔ（ただし、Ｔは記録ディジタル信号のビット周期）の繰り返しであることを特徴とする請求項６乃至１１のうちいずれか一項記載の再生装置。
【請求項１３】
　前記位相エラー選択手段が前記第１の位相エラーを選択した場合と、前記第２の位相エラーを選択した場合で、前記フィードバックループのループゲインを切り換えることを特徴とする請求項１乃至１２のうちいずれか一項記載の再生装置。
【請求項１４】
　前記位相エラー選択手段は、前記第２の位相エラーのうち、所定値より反転間隔の長い一部の位相エラーのみを出力することを特徴とする請求項１乃至１３のうちいずれか一項記載の再生装置。
【請求項１５】
　前記位相エラー選択手段は、前記第２の位相エラーを選択する状態に切り換わった時点から、所定のクロック数経過後に、前記第１の位相エラーを選択する状態に戻すことを特徴とする請求項１乃至１４のうちいずれか一項記載の再生装置。
【請求項１６】
　記録媒体に記録されているディジタル信号を再生して得られた再生信号をクロックに基づきサンプリングして、サンプリング信号を出力するサンプリング手段を備えた再生装置に用いられるコンピュータプログラムであって、コンピュータを、
　前記再生信号又は前記サンプリング信号を入力信号として受け、前記クロックに基づき、その入力信号が一定の反転間隔を有する連続波期間であるか、ランダムな反転間隔のランダム期間であるかを検出する期間検出手段と、
　前記クロックに基づき、前記入力信号のゼロクロスに相当する点で前記入力信号の値を抽出し、抽出した値を前記入力信号の立ち上がり又は立下りに応じて極性を切り替えて第１の位相エラーとして出力する第１の位相エラー検出手段と、　前記クロックに基づき、前記一定の反転間隔と等しい間隔で前記入力信号の値を抽出し、前記抽出した値の極性を交互に切り替えて第２の位相エラーとして出力する第２の位相エラー検出手段と、
　前記期間検出手段により検出された前記ランダム期間では、前記第１の位相エラー検出手段からの前記第１の位相エラーを選択し、前記期間検出手段により検出された前記連続波期間では、前記第２の位相エラー検出手段からの前記第２の位相エラーを選択して出力する位相エラー選択手段と、
　前記位相エラー選択手段から出力される位相エラーに基づいて、前記クロックを生成するクロック生成手段として機能させることを特徴とするプログラム。
【請求項１７】
　記録媒体に記録されているディジタル信号を再生して得られた再生信号をクロックに基づきサンプリングして、サンプリング信号を出力するサンプリング手段を備えた再生装置に用いられるコンピュータプログラムであって、コンピュータを、
　前記再生信号又は前記サンプリング信号を入力信号として受け、前記クロックに基づき、その入力信号のうち、特定パターンの繰り返し期間かランダム期間かを検出する期間検出手段と、
　前記再生信号又は前記サンプリング信号を入力信号として受け、前記クロックに基づき、その入力信号のゼロクロスに相当する点で前記入力信号の値を抽出し、その抽出した値を前記入力信号の立ち上がりか立ち下がりかに応じて極性を切り替えて第１の位相エラーとして出力する第１の位相エラー検出手段と、
　前記再生信号又は前記サンプリング信号を入力信号として受け、前記クロックに基づき、前記特定パターンと等しい間隔で該入力信号の値を抽出し、その抽出した値を前記特定パターンのうち立ち上がりに相当するか立ち下がりに相当するかに応じて極性を切り替えて、第２の位相エラーとして出力する第２の位相エラー検出手段と、
　前記期間検出手段により前記ランダム期間と検出された期間では、前記第１の位相エラー検出手段からの前記第１の位相エラーを選択し、前記期間検出手段により前記特定パターン繰り返し期間と検出された期間では、前記第２の位相エラー検出手段からの前記第２の位相エラーを選択して出力する位相エラー選択手段と、
　前記位相エラー選択手段から出力される位相エラーに基づいて、前記クロックを生成するクロック生成手段として機能させることを特徴とするプログラム。
【請求項１８】
　前記記録媒体には、前記ランダム期間に一定周期で同期信号が記録されており、前記再生信号又は前記再生信号の復号信号から前記同期信号をパターンサーチによって検出する検索モードと、前記一定周期に同期した同期信号検出用窓を生成し、この同期信号検出用窓内にて前記同期信号を検出する慣性モードのいずれかにより、前記記録媒体からの再生信号又は復号信号から前記同期信号を検出すると共に、前記慣性モードで前記同期信号を検出しているときには、前記期間検出手段による前記連続波期間の検出動作を無効にし、前記位相エラー選択手段により前記第１の位相エラーを選択させる同期信号検出状態フラグを出力する同期信号検出手段を更に有することを特徴とする請求項１乃至５のうちいずれか一項記載の再生装置。
【請求項１９】
　前記記録媒体には、前記ランダム期間に一定周期で同期信号が記録されており、前記再生信号又は前記再生信号の復号信号から前記同期信号をパターンサーチによって検出する検索モードと、前記一定周期に同期した同期信号検出用窓を生成し、この同期信号検出用窓内にて前記同期信号を検出する慣性モードのいずれかにより、前記記録媒体からの再生信号又は復号信号から前記同期信号を検出すると共に、前記慣性モードで前記同期信号を検出しているときには、前記期間検出手段による前記特定パターンの繰り返し期間の検出動作を無効にし、前記位相エラー選択手段により前記第１の位相エラーを選択させる同期信号検出状態フラグを出力する同期信号検出手段を更に有することを特徴とする請求項６乃至１２のうちいずれか一項記載の再生装置。
【発明の詳細な説明】
【技術分野】
【０００１】
　本発明は再生装置及びプログラムに係り、特に光ディスク等の記録媒体に記録されている情報信号を再生する再生装置及びそれに用いるプログラムに関する。
【背景技術】
【０００２】
　情報信号が高密度記録された光ディスク等の記録媒体に記録されているアドレス情報や、記録するユーザーデータ等の重要度の高い情報の前に、処理を安定させるべく、一定の反転間隔を有する連続波期間、もしくは特定のパターンを繰り返した特定パターン繰り返し期間が予め挿入されて記録されている記録媒体から情報信号を再生する再生装置が従来知られている。アドレス情報や、記録するユーザーデータ等の重要度の高い情報の前に記録されている、上記の一定の反転間隔を有する連続波期間の典型的な例は、ＤＶＤ−ＲＡＭ規格におけるＣＡＰＡの中に設けられたＶＦＯ期間である。
【０００３】
　ＤＶＤ−ＲＡＭにおける、書き換え領域のセクタのレイアウトを図３２に示す。同図（Ａ）はセクタフィールドレイヤの情報を示し、その中のヘッダーフィールドの情報は、同図（Ｂ）に示すように、４つのフィールドに分けて配置される。更に、図３２（Ｂ）に示すヘッダーフィールド中に存在するＶＦＯ１及びＶＦＯ２と、図３２（Ａ）に示すレコーディングフィールド中のＶＦＯ３の領域は、図３３（Ａ）〜（Ｃ）に示すようになっており、４Ｔ（Ｔはビット周期：以下同じ）の繰り返しパターンとなる。このような、ユーザーデータの前に回路を安定化させるために設けられた部分は、ランイン（Ｒｕｎ−ｉｎ）とかリードイン（Ｒｅａｄ−ｉｎ）などと呼ばれている場合が多い。
【発明の開示】
【発明が解決しようとする課題】
【０００４】
　しかるに、通常、再生装置内でタイミングリカバリのために設けられているＰＬＬ（Phase Locked Loop）回路は、データ領域においてあらゆる反転間隔のものが入力される可能性があるため、ゼロクロス情報をもとにしてＰＬＬ回路の位相エラーを出力し、ロックさせているため、１Ｔ以上位相がずれると正しい位相エラーを出力しなくなる。
【０００５】
　つまり、前記ＶＦＯ１〜ＶＦＯ３のような４Ｔの繰り返しパターンの場合、３Ｔや５Ｔと認識されると、ＰＬＬ回路は正しいエラーを出力しなくなる。この現象はスレッショールドレベルが適切なところにない場合に、特に顕著に現れる。
【０００６】
　この様子を図３４（Ａ）、（Ｂ）に示す。図３４（Ａ）、（Ｂ）においては、周波数は正しいにもかかわらず、反転間隔を誤って検出しているために、結果として正しいエラーを出力できない。
【０００７】
　信号によっては、この誤った位相エラーのレベル・極性がランダムに出力されてしまうため、その周波数から脱出する事ができず、結果として擬似ロックに陥る場合が存在する。特に光ディスクの場合、スレッショールドレベルコントロールが収束した後も、記録パワーや再生パワー、媒体の状態などによって波形の上下非対称性（アシンメトリ）が存在するため、図３４（Ａ）、（Ｂ）のような状態になり得る。
【０００８】
　このような状態のまま、上記の一定の反転間隔を有する連続波期間、もしくは特定のパターンを繰り返した特定パターン繰り返し期間に後続するデータ領域の再生に入ると、周波数が正しい周波数の近傍にいながらも、正しいところに引き込むことができなくなる場合が多い。また、最も重要な課題として、周波数引き込みが困難になることは勿論である。
【０００９】
　本発明は上記の点に鑑みなされたもので、記録媒体に記録されているＶＦＯのような連続波の再生時に、迅速にＰＬＬ動作（周波数及び位相の引き込み及びロック）が可能な再生装置及びプログラムを提供することを目的とする。
【００１０】
　また、本発明の他の目的は、連続波だけでなく、特定のパターンの繰り返しがデータ領域の前に記録された記録媒体に対しても、より確実にＰＬＬ回路がロックし、安定してユーザーデータを読めるようにする再生装置及びプログラムを提供することにある。
【課題を解決するための手段】
【００１１】
　上記の目的を達成するため、第１の発明の再生装置は、記録媒体に記録されているディジタル信号を再生して得られた再生信号をクロックに基づきサンプリングして、サンプリング信号を出力するサンプリング手段と、サンプリング信号をさらにタイミング情報に基づきリサンプリング補間してリサンプリング信号を出力する補間手段と、リサンプリング信号が一定の反転間隔を有する連続波期間であるか、ランダムな反転間隔のランダム期間であるかを検出する期間検出手段と、サンプリング信号のゼロクロスに相当する点でサンプリング信号の値を抽出し、抽出した値をリサンプリング信号の立ち上がり又は立下りに応じて極性を切り替えて第１の位相エラーとして出力する第１の位相エラー検出手段と、一定の反転間隔と等しい間隔でリサンプリング信号の値を抽出し、抽出した値の極性を交互に切り替えて第２の位相エラーとして出力する第２の位相エラー検出手段と、期間検出手段により検出されたランダム期間では、第１の位相エラー検出手段からの第１の位相エラーを選択し、期間検出手段により検出された連続波期間では、第２の位相エラー検出手段からの第２の位相エラーを選択して出力する位相エラー選択手段と、位相エラー選択手段の出力位相エラーを積分するループフィルタ手段と、ループフィルタ手段の出力信号に基づいて、タイミング情報を生成するタイミング情報生成手段とを有し、補間手段と、第１又は第２の位相エラー出力手段と、位相エラー選択手段と、ループフィルタ手段と、タイミング情報生成手段とは、フィードバックループを構成するようにしたものである。
【００１２】
　この発明では、従来と同様にしてゼロクロスに相当する点でサンプリング信号の値を抽出して第１の位相エラーとして出力する第１の位相エラー検出手段に加えて、連続波期間の一定の反転間隔と等しい間隔でリサンプリング信号の値を抽出し、抽出した値の極性を交互に切り替えて第２の位相エラーとして出力する、自走タイミングに基づいた第２の位相エラー検出手段を有し、連続波期間検出時には、第２の位相エラーに基づいて状態を遷移させることができる。
【００１３】
　また、上記の目的を達成するため、第２の発明の再生装置は、記録媒体に記録されているディジタル信号を再生して得られた再生信号をクロックに基づきサンプリングして、サンプリング信号を出力するサンプリング手段と、再生信号又はサンプリング信号を入力信号として受け、クロックに基づき、その入力信号が一定の反転間隔を有する連続波期間であるか、ランダムな反転間隔のランダム期間であるかを検出する期間検出手段と、再生信号又はサンプリング信号を入力信号として受け、クロックに基づき、その入力信号のゼロクロスに相当する点で入力信号の値を抽出し、抽出した値を入力信号の立ち上がり又は立下りに応じて極性を切り替えて第１の位相エラーとして出力する第１の位相エラー検出手段と、再生信号又はサンプリング信号を入力信号として受け、クロックに基づき、一定の反転間隔と等しい間隔で入力信号の値を抽出し、抽出した値の極性を交互に切り替えて第２の位相エラーとして出力する第２の位相エラー検出手段と、期間検出手段により検出されたランダム期間では、第１の位相エラー検出手段からの第１の位相エラーを選択し、期間検出手段により検出された連続波期間では、第２の位相エラー検出手段からの第２の位相エラーを選択して出力する位相エラー選択手段と、位相エラー選択手段から出力される位相エラーに基づいて、クロックを生成するクロック生成手段とを有し、第１又は第２の位相エラー出力手段と、位相エラー選択手段と、クロック生成手段とは、フィードバックループを構成するようにしたものである。
【００１４】
　この発明では、従来と同様にしてゼロクロスに相当する点でサンプリング信号の値を抽出して第１の位相エラーとして出力する第１の位相エラー検出手段に加えて、連続波期間の一定の反転間隔と等しい間隔で、再生信号又はサンプリング信号の値を抽出し、抽出した値の極性を交互に切り替えて第２の位相エラーとして出力する、自走タイミングに基づいた第２の位相エラー検出手段を有し、連続波期間検出時には、第２の位相エラーに基づいて状態を遷移させることができる。
【００１５】
　また、上記の目的を達成するため、第３の発明の再生装置は、記録媒体に記録されているディジタル信号を再生して得られた再生信号をクロックに基づきサンプリングして、サンプリング信号を出力するサンプリング手段と、再生信号又はサンプリング信号を入力信号として受け、クロックに基づき、その入力信号のうち、特定パターンの繰り返し期間かランダム期間かを検出する期間検出手段と、再生信号又はサンプリング信号を入力信号として受け、クロックに基づき、その入力信号のゼロクロスに相当する点で入力信号の値を抽出し、その抽出した値を入力信号の立ち上がりか立ち下がりかに応じて極性を切り替えて第１の位相エラーとして出力する第１の位相エラー検出手段と、再生信号又はサンプリング信号を入力信号として受け、クロックに基づき、特定パターンと等しい間隔で該入力信号の値を抽出し、その抽出した値を特定パターンのうち立ち上がりに相当するか立ち下がりに相当するかに応じて極性を切り替えて、第２の位相エラーとして出力する第２の位相エラー検出手段と、期間検出手段によりランダム期間と検出された期間では、第１の位相エラー検出手段からの第１の位相エラーを選択し、期間検出手段により特定パターン繰り返し期間と検出された期間では、第２の位相エラー検出手段からの第２の位相エラーを選択して出力する位相エラー選択手段と、位相エラー選択手段から出力される位相エラーに基づいて、クロックを生成するクロック生成手段とを有し、第１又は第２の位相エラー出力手段と、位相エラー選択手段と、クロック生成手段は、フィードバックループを構成するようにしたものである。
【００１６】
　この発明では、従来と同様にしてゼロクロスに相当する点でサンプリング信号の値を抽出して第１の位相エラーとして出力する第１の位相エラー検出手段に加えて、特定パターンと等しい間隔で入力信号の値を抽出し、その抽出した値を特定パターンのうち立ち上がりに相当するか立ち下がりに相当するかに応じて極性を切り替えて、第２の位相エラーとして出力する、自走タイミングに基づいた第２の位相エラー検出手段を有し、特定パターンの繰り返し期間検出時には、第２の位相エラーに基づいて状態を遷移させることができる。
【００１７】
　また、上記の目的を達成するため、第４の発明の再生装置は、記録媒体に記録されているディジタル信号を再生して得られた再生信号をクロックに基づきサンプリングして、サンプリング信号を出力するサンプリング手段と、サンプリング信号をさらにタイミング情報に基づきリサンプリング補間してリサンプリング信号を出力する補間手段と、リサンプリング信号が、クロックに基づき、特定パターンの繰り返し期間かランダム期間かを検出する期間検出手段と、クロックに基づき、リサンプリング信号のゼロクロスに相当する点でリサンプリング信号の値を抽出し、その抽出した値をリサンプリング信号の立ち上がりか立ち下がりかに応じて極性を切り替えて第１の位相エラーとして出力する第１の位相エラー検出手段と、クロックに基づき、特定パターンと等しい間隔でリサンプリング信号の値を抽出し、その抽出した値を特定パターンのうち立ち上がりに相当するか立ち下がりに相当するかに応じて極性を切り替えて、第２の位相エラーとして出力する第２の位相エラー検出手段と、期間検出手段によりランダム期間と検出された期間では、第１の位相エラー検出手段からの第１の位相エラーを選択し、期間検出手段により特定パターン繰り返し期間と検出された期間では、第２の位相エラー検出手段からの第２の位相エラーを選択して出力する位相エラー選択手段と、位相エラー選択手段の出力位相エラーを積分するループフィルタ手段と、ループフィルタ手段の出力信号に基づいて、タイミング情報を生成するタイミング情報生成手段とを有し、補間手段と、第１又は第２の位相エラー出力手段と、位相エラー選択手段と、ループフィルタ手段と、タイミング情報生成手段とは、フィードバックループを構成するようにしたものである。
【００１８】
　この発明では、従来と同様にしてゼロクロスに相当する点でサンプリング信号の値を抽出して第１の位相エラーとして出力する第１の位相エラー検出手段に加えて、特定パターンと等しい間隔でリサンプリング信号の値を抽出し、その抽出した値を特定パターンのうち立ち上がりに相当するか立ち下がりに相当するかに応じて極性を切り替えて第２の位相エラーとして出力する、自走タイミングに基づいた第２の位相エラー検出手段を有し、特定パターン繰り返し期間検出時には、第２の位相エラーに基づいて状態を遷移させることができる。
【００１９】
　また、上記の目的を達成するため、第５の発明のプログラムは、コンピュータを、再生信号又はサンプリング信号を入力信号として受け、クロックに基づき、その入力信号が一定の反転間隔を有する連続波期間であるか、ランダムな反転間隔のランダム期間であるかを検出する期間検出手段と、再生信号又はサンプリング信号を入力信号として受け、クロックに基づき、その入力信号のゼロクロスに相当する点で入力信号の値を抽出し、抽出した値を入力信号の立ち上がり又は立下りに応じて極性を切り替えて第１の位相エラーとして出力する第１の位相エラー検出手段と、再生信号又はサンプリング信号を入力信号として受け、クロックに基づき、一定の反転間隔と等しい間隔で入力信号の値を抽出し、抽出した値の極性を交互に切り替えて第２の位相エラーとして出力する第２の位相エラー検出手段と、期間検出手段により検出されたランダム期間では、第１の位相エラー検出手段からの第１の位相エラーを選択し、期間検出手段により検出された連続波期間では、第２の位相エラー検出手段からの第２の位相エラーを選択して出力する位相エラー選択手段と、位相エラー選択手段から出力される位相エラーに基づいて、クロックを生成するクロック生成手段として機能させるようにしたものである。
【００２０】
　更に、上記の目的を達成するため、第６の発明のプログラムは、再生信号又はサンプリング信号を入力信号として受け、クロックに基づき、その入力信号のうち、特定パターンの繰り返し期間かランダム期間かを検出する期間検出手段と、再生信号又はサンプリング信号を入力信号として受け、クロックに基づき、その入力信号のゼロクロスに相当する点で入力信号の値を抽出し、その抽出した値を入力信号の立ち上がりか立ち下がりかに応じて極性を切り替えて第１の位相エラーとして出力する第１の位相エラー検出手段と、再生信号又はサンプリング信号を入力信号として受け、クロックに基づき、特定パターンと等しい間隔で該入力信号の値を抽出し、その抽出した値を特定パターンのうち立ち上がりに相当するか立ち下がりに相当するかに応じて極性を切り替えて、第２の位相エラーとして出力する第２の位相エラー検出手段と、期間検出手段によりランダム期間と検出された期間では、第１の位相エラー検出手段からの第１の位相エラーを選択し、期間検出手段により特定パターン繰り返し期間と検出された期間では、第２の位相エラー検出手段からの第２の位相エラーを選択して出力する位相エラー選択手段と、位相エラー選択手段から出力される位相エラーに基づいて、クロックを生成するクロック生成手段として機能させるようにしたものである。
【００２１】
　また、上記の目的を達成するため、本発明の再生装置は、記録媒体には、ランダム期間に一定周期で同期信号が記録されており、再生信号又は再生信号の復号信号から同期信号をパターンサーチによって検出する検索モードと、一定周期に同期した同期信号検出用窓を生成し、この同期信号検出用窓内にて同期信号を検出する慣性モードのいずれかにより、記録媒体からの再生信号又は復号信号から同期信号を検出すると共に、慣性モードで同期信号を検出しているときには、期間検出手段による連続波期間又は特定パターンの繰り返し期間の検出動作を無効にし、位相エラー選択手段により第１の位相エラーを選択させる同期信号検出状態フラグを出力する同期信号検出手段を更に有することを特徴とする。
【００２２】
　この発明では、同期信号検出手段により慣性モードにて同期信号を安定に検出している状態にあるときには、期間検出手段により連続波期間又は特定パターンの繰り返し期間の検出動作を無効とするようにしたため、慣性モードで同期信号を検出しているときには、位相エラー選択手段による位相エラー切り替え動作を停止することができる。
【発明の効果】
【００２３】
　本発明によれば、連続波期間を検出したときには、自走タイミングに基づいて生成した第２の位相エラーによりＰＬＬ動作（周波数及び位相の引き込み及びロック）を行うように状態を遷移させるようにしたため、ＶＦＯのような連続波において、迅速にＰＬＬ動作ができる。
【００２４】
　また、本発明によれば、特定パターンの繰り返し期間を検出したときには、自走タイミングに基づいて生成した第２の位相エラーによりＰＬＬ動作を行うようにしたため、特定パターンの繰り返しを用いたランイン（Ｒｕｎ−ｉｎ）とかリードイン（Ｒｅａｄ−ｉｎ）に対しても、より確実にＰＬＬ回路がロックし、安定してユーザーデータを読めるようにすることができる。
【００２５】
　更に、本発明によれば、同期信号検出手段により慣性モードにて同期信号を安定に検出している状態にあるときには、期間検出手段により連続波期間又は特定パターンの繰り返し期間の検出動作を無効とすることで、慣性モードで同期信号を検出しているときには、位相エラー選択手段による位相エラー切り替え動作を停止するようにしたため、位相エラー切り替え動作による誤動作を防止することができ、誤動作を防止できることから第２の位相エラーを選択して動作するときの回路のゲインを大きくとることができる。また、本発明によれば、ディフェクト等で、大きく周波数がずれている（同期信号が連続して検出できていない）場合には、同期信号の検出モードが切り替わるのに伴い、位相エラー切り替えを行うようにしたため、迅速にＰＬＬ回路に引き込んでＰＬＬ動作ができる。
【発明を実施するための最良の形態】
【００２６】
　次に、本発明の実施の形態について画面と共に説明する。図１は連続波期間を有する代表的な再生信号の例と、第１の発明の動作原理を示す。図１（Ａ）に示されている再生信号は、ユーザーデータに相当するランダム期間の間に、この場合は４Ｔの反転間隔を有する連続波期間（ＤＶＤ−ＲＡＭ規格と同じ。）があり、ランダム期間の先頭には、特殊パターンを有する同期信号（Ｓｙｎｃ）が設けられている。この場合はＳｙｎｃのパターンは１４Ｔと４Ｔを含むものとする。
【００２７】
　本発明では、図１（Ｂ）、（Ｃ）に示すように、まず、連続波期間を検出し、位相エラーの抽出方法を、（従来の通常のユーザーデータ期間に対する）ゼロクロスタイミングによる方法から、（連続波期間に対する）自走タイミングによる位相エラー抽出に切り替える。さらにランダム期間を再び検出し、再び（従来の通常のユーザーデータ期間に対する）ゼロクロスタイミングによる方法に戻す。ゼロクロスタイミングによる位相エラー抽出を行っている状態をＳ１、自走タイミングによる位相エラー抽出を行っている状態をＳ２とすると、状態遷移図は図２のようになる。
【００２８】
　図３は本発明になる再生装置の第１の実施の形態のブロック図を示す。同図において、ランレングス制限符号が高密度記録された光ディスク１１からＰＤヘッドアンプ１２で光電変換及び増幅されたランレングス制限符号（ディジタル信号）は、低域フィルタ（ＬＰＦ）１３により高域（ノイズ）成分が阻止され、続いてＡ／Ｄ変換器１４を通し、必要に応じて図示しないＡＧＣ回路で振幅が一定になるように自動利得制御（ＡＧＣ）された後、本実施の形態の要部を構成するリサンプリングＤＰＬＬ１５に供給される。なお、Ａ／Ｄ変換器１４を設ける位置は、リサンプリングＤＰＬＬ１５の入力側であればどこであってもよい。
【００２９】
　リサンプリングＤＰＬＬ１５は、自分自身のブロックの中でループが完結しているディジタルＰＬＬ回路で、Ａ／Ｄ変換器１４により固定のシステムクロックでサンプリングされている入力信号に対し、所望のビットレートでリサンプリングしたディジタルデータ（すなわち、ディジタルデータの位相０°、１８０°のうち、１８０°のリサンプリングデータ）を生成し、復号回路１６に供給する。なお、ここで「リサンプリング」とは、ビットクロックのタイミングにおけるサンプリングデータを、システムクロックのタイミングでＡ／Ｄ変換したデータより間引き補間演算をして求めることをいう。
【００３０】
　復号回路１６においては、必要に応じて、等化処理によりパーシャルレスポンス（ＰＲ）特性が付与された後、ビタビ復号（ＭＬ）される。ビタビ復号の回路構成は公知であり、例えば等化後再生波形のサンプル値からブランチメトリックを計算するブランチメトリック演算回路と、そのブランチメトリックを１クロック毎に累積加算してパスメトリックを計算するパスメトリック演算回路と、パスメトリックが最小となる、最も確からしいデータ系列を選択する信号を記憶するパスメモリとよりなる。このパスメモリは、複数の候補系列を格納しており、パスメトリック演算回路からの選択信号に従って選択した候補系列を復号データ系列として出力する。なお、復号回路１６は上記の構成に限定されるものではなく、ビットバイビット復号などで処理してもよいことは勿論である。
【００３１】
　復号回路１６の出力復号データは図示しないＥＣＣ回路等に供給され、復号データ系列中の誤り訂正符号を用いて、その誤り訂正符号の生成要素の符号誤りを訂正し、誤りの大幅に低減された復号データを出力する。以上の構成において、本実施の形態はリサンプリングＤＰＬＬ１５の構成に特徴を有するものであり、以下、このリサンプリングＤＰＬＬ１５について更に詳細に説明する。
【００３２】
　図４はリサンプリングＤＰＬＬ１５の一実施の形態のブロック図を示す。同図に示すように、リサンプリングＤＰＬＬ１５は、補間器３１、位相検出器３２、ループフィルタ３３及びタイミング発生器３４からなる一巡のフィードバックループ回路である。補間器３１には図３のＡ／Ｄ変換器１８からの再生ディジタル信号（サンプリング信号）φ０と、タイミング発生器３４からのデータ点位相情報とビットクロックが入力され、再生ディジタル信号の位相点データのデータ値が補間により推定されて出力される。
【００３３】
　補間器３１の出力データ値は、リサンプリング信号として位相検出器３２に供給される。位相検出器３２は図３の復号回路１６へリサンプリング後信号を出力する一方、位相誤差信号を生成し、ループフィルタ３３に供給し、ここで積分させた後タイミング発生器３４に供給する。タイミング発生器３４は入力されるループフィルタ３３のデータに基づいて次のデータ点位相の推定を行い、このデータ点位相情報と同じく生成されたビットクロックを補間器３１へ出力する。
【００３４】
　以上の構成において、本実施の形態は位相検出器３２の構成に特徴を有するものであり、以下、この位相検出器３２について更に詳細に説明する。図５は位相検出器３２の一実施の形態のブロック図を示す。補間器３１から出力されたリサンプリング信号は、連続波期間／ランダム期間検出手段４１、ゼロクロスタイミングによる第１の位相エラー検出手段４２及び自走タイミングによる第２の位相エラー検出手段４３にそれぞれ供給される。第１の位相エラー検出手段４２によりゼロクロスタイミングに基づき検出された第１の位相エラーと、第２の位相エラー検出手段４３により自走タイミングに基づき検出された第２の位相エラーとは、スイッチ回路（ＳＷ）４４に供給され、ここで連続波期間／ランダム期間検出手段４１の出力する制御信号に応じて一方の位相エラーが選択される。ＳＷ４４により選択された位相エラーは、図４のループフィルタ３３に出力される。
【００３５】
　次に、第１の位相エラー検出手段４２と第２の位相エラー検出手段４３の位相エラー抽出の違いを図６にて説明する。ゼロクロスタイミングによる第１の位相エラー検出手段４２の場合、図６（Ａ）に示す再生波形のリサンプリング点（●及び×）のうち、ゼロクロスに相当する黒丸で示すポイント（●）のタイミングにて、リサンプリング点の値を基に、第１の位相エラーを生成する。例えば、立ち上がりの場合にはリサンプリング点の値をそのまま、立ち下がりの場合はその値の極性を反転することにより、図６（Ｂ）に示す如き第１の位相エラーが生成される。
【００３６】
　次に、自走タイミングによる第２の位相エラー検出手段４３の場合、図６（Ｃ）に示す再生波形のリサンプリング点（○及び×）のうち、ゼロクロスに相当する白丸で示すポイント（○）のタイミングにて、リサンプリング点の値を基に、第２の位相エラーを生成する。例えば、自走している４Ｔの反転間隔に対し、リサンプリング点の値と、その値の極性を反転した値を交互に出力することにより、図６（Ｄ）に示す如き第２の位相エラーが生成される。
【００３７】
　次に、第１の位相エラー検出手段４２と第２の位相エラー検出手段４３の構成について図７、図８と共に説明する。図７は第１の位相エラー検出手段４２の一実施の形態のブロック図を示す。同図において、図４の補間器３１から出力されたリサンプリング信号は、ゼロクロス検出手段４２１、立ち上がり／立下がり検出手段４２２、極性反転手段４２３及びスイッチ手段（ＳＷ）４２４にそれぞれ供給される。
【００３８】
　ＳＷ４２４は、立ち上がり／立下がり検出手段４２２により立ち上がり検出時はリサンプリング信号をそのまま選択して出力し、立下り検出時は極性反転手段４２３で極性反転されたリサンプリング信号を選択して出力する。ゼロクロス検出手段４２１は、ゼロクロスを検出したタイミングで、例えばハイレベルのゼロクロス検出信号を出力し、それ以外ではローレベルの信号を出力する。
【００３９】
　スイッチ手段（ＳＷ）４２６は、ゼロクロス検出手段４２１からハイレベルのゼロクロス検出信号が供給されるときには、ＳＷ４２４からのリサンプリング信号を選択し、ゼロクロス検出信号が供給されないときには、ゼロ発生手段４２５の出力信号を選択する。ＳＷ４２６から出力された信号は第１の位相エラーとして出力される。
【００４０】
　図８は第２の位相エラー検出手段４３の一実施の形態のブロック図を示す。同図中、図４の補間器３１から出力されたリサンプリング信号は、エラータイミング発生手段４３１、極性反転手段４３３及びスイッチ手段（ＳＷ）４３４にそれぞれ供給される。エラータイミング発生手段４３１は、連続波期間の反転間隔相当のタイミングでハイレベル、それ以外ではローレベルのタイミング信号を発生し、極性制御手段４３２に供給する。極性制御手段４３２はタイミング信号が１回入力される毎に極性を反転させるための制御信号を出力する。
【００４１】
　ＳＷ４３４は、極性制御手段４３２の出力制御信号に応じて、リサンプリング信号と極性反転手段４３３で極性反転されたリサンプリング信号の一方を選択して出力する。さらに、スイッチ手段（ＳＷ）４３６は、エラータイミング発生手段４３１の出力タイミング信号がハイレベルのときは、ＳＷ４３４の出力リサンプリング信号を選択し、上記タイミング信号がローレベルのときはゼロ発生手段４３５の出力信号を選択する。ＳＷ４３６から出力された信号は第２の位相エラーとして出力される。
【００４２】
　次に、図５中の連続波期間／ランダム期間検出手段４１の構成について説明する。図９は連続波期間／ランダム期間検出手段４１の一実施の形態のブロック図を示す。同図において、反転間隔抽出手段４１１は、リサンプリング信号を入力として受け、反転したタイミングｎ毎に反転間隔Ｔｎ（ｎは順次インクリメントする値）を計数して出力する。その出力信号は反転間隔比較手段４１２ａ、反転間隔比較手段４１２ｂ、反転間隔比較手段４１２ｃにそれぞれ供給される。
【００４３】
　反転間隔比較手段４１２ａには、想定する連続波の反転間隔をＴｍとした場合、Ｔｍ−２とＴｍ−１とＴｍの値が入力される。同様に反転間隔比較手段４１２ｂには、Ｔｍ−１とＴｍとＴｍ＋１の値が入力される。反転間隔比較手段４１２ｃには、ＴｍとＴｍ＋１とＴｍ＋２の値が入力される。反転間隔比較手段４１２ａ〜４１２ｃは、反転間隔抽出手段４１１の出力と、入力された３つの反転間隔値を比較し、いずれかに等しいかどうかを判定し、例えば等しい場合は「１」を、それ以外は「０」を出力する。
【００４４】
　その判定結果は反転間隔比較手段４１２ａ〜４１２ｃに対応して設けられた連続回数計数手段４１３ａ〜４１３ｃにそれぞれ入力され、「１」のときの状態がどの程度連続しているかが判定される。例えば、所定の値Ｎ回、「１」が連続したときに「１」を、そうでない場合に「０」を出力するものとする。これらの連続回数計数手段４１３ａ〜４１３ｃの出力信号はＯＲ回路４１４にて論理和演算され、その結果が連続波期間検出信号としてマトリックス（ＭＴＸ）手段４１６に供給される。
【００４５】
　一方、反転間隔抽出手段４１１の出力信号は、ランダム期間検出手段４１５にも供給され、例えば、ランダム期間の先頭に存在する同期信号Ｓｙｎｃに必ずＴｓが含まれるとすると、次の不等式
　　　Ｔｍ＜Ｔｕ≦Ｔｓ
を満足するＴｕを設定し、Ｔｕと同じか若しくはＴｕより大きい値が検出されたらランダム期間とみなして論理「１」を、それ以外は論理「０」をランダム信号検出信号としてＭＴＸ手段４１６に供給する。
【００４６】
　ここで、上記のＴｎは実際に再生された信号の反転間隔情報（Ｔ１、Ｔ２、Ｔ３、・・・、Ｔｎ）であり、Ｔｓは同期信号パターンの一部に相当する反転間隔で、明らかに連続波期間には存在しない反転間隔である。また、Ｔｍは揺れの無い連続波期間の本来の反転間隔（例えば４Ｔ）、ＴｕはＴｓとＴｍを区別するための境界となる反転間隔である。
【００４７】
　ＭＴＸ手段４１６は、入力された連続波期間検出信号とランダム信号検出信号、及び自分で保持している状態とでマトリックス演算を行い、得られた信号を図５のＳＷ４４に制御信号として出力する。
【００４８】
　次に、ＭＴＸ手段４１６の動作を図１０のフローチャートを用いて説明する。スタートの状態（ステップＰ１）を、図２に示した状態Ｓ１とすると、まず、ステップＰ２に移り、ステップＰ２では連続波期間検出信号が「１」かどうかを判定し、異なる場合はステップＰ２に戻る。等しい場合はステップＰ３に移り、状態はＳ２となる。ステップＰ３では、ランダム期間検出信号が「１」かどうかを判定し、異なる場合はステップＰ３に戻る。等しいときはステップＰ２に移り、再び状態はＳ１となる。
【００４９】
　ところで、リサンプリングＤＰＬＬ１５は、自分自身でループが完結しているために、確実な収束が期待でき、また外付けの回路も不要であるので構成が簡単であり、更に、ディジタル回路であるので信頼性が高いという利点を有する。しかし、本発明はこれに限らず、以下の実施の形態のようにリサンプリングＤＰＬＬを使用しない構成にも適用できる。
【００５０】
　図１１は本発明になる再生装置の第２の実施の形態のブロック図を示す。同図中、図３と同一構成部分には同一符号を付し、その説明を省略する。本発明の第２の実施の形態は、図１１に示すように、復号回路１９は、リサンプリングＤＰＬＬ１５からの信号ではなく、Ａ／Ｄ変換器１７によりＡ／Ｄ変換したサンプリング信号を入力信号として受ける。このＡ／Ｄ変換器１７によりＡ／Ｄ変換したサンプリング信号は、また、ＰＬＬ回路１８にも供給され、ビットに同期したクロックとされてＡ／Ｄ変換器１７にサンプリングクロックとして入力されると共に、復号回路１９にも入力される。なお、上記のサンプリングクロックは、Ａ／Ｄ変換器１７の出力するサンプリング信号、もしくはそれをフィルタリングした信号を入力としてもよい。
【００５１】
　図１２はＰＬＬ回路１８の一例のブロック図を示す。同図において、サンプリング信号は後述するように、特定の繰り返しパターンの期間であるかランダム期間であるかに応じて位相エラーを選択出力する構成の位相検出器１８１に入力される。このサンプリング信号は、図５及び図９のリサンプリング信号に相当し、以降同様の動作により位相エラーを抽出する。位相検出器１８１から出力された位相エラーは発振器１８２に入力され、位相を補正する方向に制御された周波数を有するクロックが出力され、Ａ／Ｄ変換器１７や復号回路１９に供給される。結果として、第１の実施の形態と同様の効果を有する。
【００５２】
　図１３は本発明になる再生装置の第３の実施の形態のブロック図を示す。同図中、図３と同一部分には同一符号を付し、その説明を省略する。図１３に示すように、本実施の形態では、復号回路１９は、リサンプリングＤＰＬＬ１５からの信号ではなく、第２の実施の形態と同様に、Ａ／Ｄ変換器１７によりサンプリング信号をＡ／Ｄ変換した信号を入力信号として受ける。また、Ａ／Ｄ変換器１７のサンプリングクロックは、ＬＰＦ１３からの再生信号を入力とし、ビットに同期したクロックを出力するＰＬＬ回路２０から供給される点が第２の実施の形態と異なる。
【００５３】
　図１４はＰＬＬ回路２０の一例のブロック図を示す。同図において、ＬＰＦ１３からの再生信号は、後述するように特定パターンの繰り返し期間であるかランダム期間であるかに応じて位相エラーを選択する構成の位相検出器２０１に入力される。この再生信号は、図５及び図９のリサンプリング信号に相当し、以降同様の動作により位相エラーを抽出する。位相検出器２０１から出力された位相エラーは発振器２０２に入力され、位相を補正する方向に制御された周波数を有するクロックが出力され、Ａ／Ｄ変換器１７や復号回路１９に供給される。結果として、第１及び第２の実施の形態と同様の効果を有する。
【００５４】
　次に、第１の実施の形態を用いた場合と用いない場合の比較を図１５乃至図１８を用いて説明する。いずれの図も、（Ａ）がリサンプリング信号、（Ｂ）が位相エラー、（Ｃ）が連続波期間検出信号、（Ｄ）が反転間隔を示す。図１５は従来のゼロクロスを用いた位相エラー検出だけの場合の波形を示し、図１６は図１５の一部を拡大した波形図であり、目的の周波数の側でミスロック（サイドロック）している状態を示す。
【００５５】
　図１５及び図１６から分かるように、エラーが上下に出て、その結果サイドロック状態から抜け出せない。その結果、４Ｔの繰り返しである連続波期間が正しく検出できておらず（図１５参照）、その後に現れるＳｙｎｃ（４Ｔ・１４Ｔ・４Ｔ・４Ｔ・１４Ｔ・４Ｔ）も検出できていない（図１６参照）。
【００５６】
　図１７は本発明を用いて、連続波期間を自動的に検出し、その期間のみ自走タイミングによる位相エラーを用いたときの波形図を示し、図１８は図１７の一部の拡大波形図を示す。図１７に示すように、本発明の第１の実施の形態によれば、ミスロック（サイドロック）から抜け出せることができ、図１８から分かるように、その後に現れるＳｙｎｃ（４Ｔ・１４Ｔ・４Ｔ・４Ｔ・１４Ｔ・４Ｔ）も正しく検出できている。
【００５７】
　以上のように、連続波が挿入されている信号については、改善することが、確認されたが、本発明はこれに限定されるものではなく、前述した第２及び第３の実施の形態において、特定のパターンが繰り返しているような信号がユーザーデータの間に挿入されている信号に対しても、応用することができる。以下、図１９を用いてその発明の動作原理を説明する。
【００５８】
　図１９は特定パターン繰り返し期間を有する代表的な再生信号の例と、第２の発明の動作原理を示す図で、同図（Ａ）、（Ｂ）、（Ｃ）は再生信号、位相エラー、スタート信号（後述）を示す。図１９（Ａ）に示す再生信号中には、特定のパターン（５Ｔ・５Ｔ・３Ｔ・３Ｔ・２Ｔ・２Ｔ）が繰り返し挿入されている。これを特定パターン繰り返し期間と呼ぶことにする。特定パターンがユーザーデータに接続される際は、同期信号Ｓｙｎｃが挿入されているものとする。
【００５９】
　この場合、図１９（Ｂ）に示すように、特定パターン繰り返し期間を検出すると、位相エラーの抽出方法を、通常のユーザーデータ期間に対するゼロクロスタイミングによる方法から、特定パターン繰り返し期間に対する自走タイミングによる位相エラー抽出方法に切り替える。その後、ランダム期間を再び検出すると、再び通常のユーザーデータ期間に対するゼロクロスタイミングによる位相エラー抽出方法に戻す。このとき、特定パターン繰り返し位置を別途検出する手段を設け、その時点を基に自走タイミングを生成する。
【００６０】
　図１９（Ｂ）に示すように、ゼロクロスタイミングによる位相エラー抽出を行っている状態をＳ１、自走タイミングによる位相エラー抽出を行っている状態をＳ２とすると、状態遷移図は図２０のようになる。
【００６１】
　次に、本発明になる再生装置の第２及び第３の実施の形態の要部をなすＰＬＬ回路１８、２１内の位相検出器１８１、２０１の構成について詳細に説明する。図２１は、上記の位相検出器１８１、２０１の一実施の形態のブロック図を示す。同図中、図５と同一構成部分には同一符号を付し、その説明を省略する。
【００６２】
　図２１において、入力信号はリサンプリング信号、もしくはサンプリング信号、もしくは再生信号であり、特定パターン繰り返し期間／ランダム期間検出手段４５と第１の位相エラー検出手段４２と第２の位相エラー検出手段４６にそれぞれ供給される。従来のゼロクロスタイミングに基づいて第１の位相エラーを出力する第１の位相エラー検出手段４２の出力と、自走タイミングに基づいて第２の位相エラーを出力する第２の位相エラー検出手段４６の出力とはＳＷ４４に供給され、特定パターン繰り返し期間／ランダム期間検出手段４５の出力する制御信号に基づいて、第１及び第２の位相エラーのうちの一方が選択されて位相エラーとして出力される。
【００６３】
　図２２は図２１中の第２の位相エラー検出手段４６の一実施の形態のブロック図を示す。同図中、図８と同一構成部分には同一符号を付し、その説明を省略する。図２２において、入力信号は、エラータイミング発生手段４６１、ＳＷ４３４及び極性反転手段４３３にそれぞれ供給される。後述する構成のエラータイミング発生手段４６１は、入力信号を基にスタートを決定し、自走しながらエラータイミングと極性情報を出力する。極性制御手段４６２は、エラータイミング発生手段４６１からのエラータイミングと極性情報に基づき、反転間隔毎に極性を考慮して１回毎に極性を反転させるための制御信号を出力する。
【００６４】
　極性制御手段４６２の結果に応じて入力信号と極性反転手段４３３の出力がＳＷ４３４で切り替わる。さらに、ゼロ発生手段４３５の出力とＳＷ４３４の出力は、エラータイミング発生手段４６１の出力結果に応じて、ＳＷ４３６で切り替わる。特定パターンの場合は極性が関係あるので、エラータイミング発生手段４６１の生成する極性情報に基づいて極性を決定する。
【００６５】
　次に、図２２中のエラータイミング発生手段４６１の一実施の形態について、図２３のブロック図と共に説明する。図２３において、入力信号は反転間隔抽出手段５０１に供給され、ここで入力信号の反転間隔が抽出され、その抽出信号Ａは、直接に反転間隔比較手段５０３に供給されると共に、遅延（Ｄｅｌａｙ）回路５０２に供給されてゼロクロスタイミング１回分遅らせられた遅延信号Ｂとされてから反転間隔比較手段５０３に供給される。
【００６６】
　反転間隔比較手段５０３は、例えば次の不等式
　　　Ａ＞２×Ｂ
を満足するとき、パターンのスタート信号を出力する。このスタート信号は反転間隔生成手段５０４に供給され、自走のエラータイミングを生成させる。
【００６７】
　一方、極性決定手段５０５は入力信号とスタート信号を入力として受け、スタート時の入力信号の極性を基にパターンの極性を判断して極性情報を生成し、その極性情報を図２２に示した極性制御手段４６２に供給する。
【００６８】
　次に、図２１中の特定パターン繰り返し期間／ランダム期間検出手段４５の一実施の形態の構成について説明する。図２４は上記の特定パターン繰り返し期間／ランダム期間検出手段４５の一実施の形態のブロック図を示す。同図において、入力信号は反転間隔抽出手段４５１に供給され、ここで反転したタイミングｎ毎に反転間隔Ｔｎ（ｎは順次インクリメントする値）が計数される。反転間隔抽出手段４５１により計数された反転間隔計数信号Ｃは、直接に連続性検出手段４５３に供給される一方、遅延（Ｄｅｌａｙ）回路４５２に供給され、ここでゼロクロスタイミングを繰り返しパターン相当分だけ遅らせた信号Ｄとされて、連続性検出手段４５３に供給される。
【００６９】
　連続性検出手段４５３は、例えば次の不等式
　　　Ｄ−１≦Ｃ≦Ｄ＋１
を満足する状態が所定回数連続するかどうかを検出して、所定回数連続する場合には特定パターン繰り返し期間であるとみなして論理「１」とし、それ以外は論理「０」の特定パターン繰り返し期間検出信号を発生してマトリックス（ＭＴＸ）手段４５５に供給する。
【００７０】
　他方、反転間隔抽出手段４５１の出力信号は、ランダム期間検出手段４５４にも供給され、例えば、ランダム期間の先頭に存在する同期信号Ｓｙｎｃに必ずＴｓが含まれるとすると、次の不等式
　　　　Ｔｍ＜Ｔｕ≦Ｔｓ
を満足するＴｕを設定し、Ｔｕと同じか若しくはＴｕより大きい値が検出されたらランダム期間とみなして論理「１」を、それ以外は論理「０」をランダム信号検出信号としてＭＴＸ手段４５５に供給する。
【００７１】
　ＭＴＸ手段４５５は、入力された連続波期間検出信号とランダム信号検出信号、及び自分で保持している状態とでマトリックス演算を行い、図２１のＳＷ４４に制御信号を出力する。
【００７２】
　ＭＴＸ手段４５５の動作を図２５のフローチャートを用いて説明する。スタートの状態（Ｐ１１）を、図２０に示した状態Ｓ１（ゼロクロスタイミングによる第１の位相エラー抽出状態）とすると、まず、ステップＰ１２に移り、特定パターン繰り返し期間検出信号が「１」かどうかを判定し、異なる場合はステップＰ１２に戻るが、等しい場合（すなわち、論理「１」であり特定パターン繰り返し期間検出時）はステップＰ１３に移り、状態は自走タイミングによる第２の位相エラー抽出状態Ｓ２となる。ステップＰ１３では、ランダム期間検出信号が「１」かどうかを判定し、異なる場合はステップＰ１３に戻るが、等しいとき（すなわち、論理「１」でありランダム期間検出時）はステップＰ１２に移り、再び状態はＳ１となる。
【００７３】
　次に、図１９乃至図２５の例を用いた場合と用いない場合の比較を図２６乃至図２９を用いて説明する。いずれの図も、（Ａ）がリサンプリング信号、（Ｂ）が位相エラー、（Ｃ）が特定パターン繰り返し期間検出信号、（Ｄ）が反転間隔（図２６、図２８を除く）である。
【００７４】
　図２６は従来のゼロクロスを用いた位相エラー検出だけの場合の波形図であり、図２７は図２６の一部を拡大した波形図であり、目的の周波数の側でミスロック（サイドロック）している状態である。エラーが上下に出て、その結果、サイドロック状態から抜け出せない。その結果、特定パターンの繰り返しである特定パターン繰り返し期間が正しく検出できておらず（図２６参照）、その後に現れるＳｙｎｃ（９Ｔ・９Ｔ）も検出できていない（図２７にＮＧで示す）。
【００７５】
　これに対して、図１９乃至図２５と共に説明した本発明の実施の形態を用いて、連続波期間を自動的に検出し、その期間のみ自走タイミングによる位相エラーを用いると、図２８と図２８の一部を拡大図示した図２９に示すように、ミスロック（サイドロック）から抜け出せることができ（図２８参照）、その後に現れるＳｙｎｃ（９Ｔ・９Ｔ）も正しく検出できている（図２９にＯＫで示す）。
【００７６】
　なお、図２１に示した特定パターン繰り返し期間／ランダム期間検出手段４５は、特定パターン繰り返し期間を検出した後、予め設定しておいたクロック数に到達した時は、検出手段４５の動作が終了したとみなして、前記ＳＷ４４に位相エラー検出手段４２からの第１の位相エラーを選択させるようにしてもよい。
【００７７】
　この場合は、特定パターン繰り返し期間の検出期間の長さ制限がある例で、その信号波形は図３０及び図３１に示される。図３０及び図３１は（Ａ）がリサンプリング信号、（Ｂ）が位相エラー、（Ｃ）が特定パターン繰り返し期間検出信号を示し、図３１（Ｄ）は反転間隔を示す。図３１は図３０の一部を拡大図示した信号波形を示し、ミスロック（サイドロック）から抜け出せることができ（図３０参照）、その後に現れるＳｙｎｃ（９Ｔ・９Ｔ）も正しく検出できている（図３１にＯＫで示す）。
【００７８】
　これは、図５に示した連続波期間／ランダム期間検出手段４１についても同様であり、予め設定しておいたクロック数に到達した時は、連続波期間／ランダム期間検出手段４１の動作が終了したものとみなして、前記ＳＷ４４に位相エラー検出手段４２からの第１の位相エラーを選択させるようにしてもよい。
【００７９】
　次に、本発明になる再生装置の第４の実施の形態について説明する。図３５は本発明になる再生装置の第４の実施の形態のブロック図を示す。同図中、図３と同一部分には同一符号を付し、その説明を省略する。図３５に示すように、本実施の形態では、復号回路１６から出力された復号データはＳＹＮＣ検出回路２２に供給され、ここで復号データ中の同期信号ＳＹＮＣが検出される。ＳＹＮＣ検出回路２２は、入力された復号データ中の同期信号ＳＹＮＣが連続して検出できたときには、例えばＨレベルで、検出できないときにはＬレベルのＳＹＮＣ検出状態フラグを発生し、そのＳＹＮＣ検出状態フラグをリサンプリングＤＰＬＬ１５内の連続波期間／ランダム期間検出手段４１又は特定パターン繰り返し期間／ランダム期間検出手段４５に供給して位相検出モードを切り替え制御する。
【００８０】
　ここで、光ディスク１１は、その情報記録領域が所定個数のブロックに分割され、各ブロックが複数のセクタに分割され、更に各セクタは所定クロック数を有する複数のフレームに分割され、各フレームには同期信号ＳＹＮＣが挿入された情報信号が記録されており、各ブロックの例えば先頭には、前述したように、アドレス情報やユーザーデータ等の重要度の高い情報の前に、処理を安定させるべく、一定の反転間隔を有する連続波期間、又は特定のパターンを繰り返した特定パターン繰り返し期間が予め挿入され、ブロック単位で記録されている。従って、同期信号ＳＹＮＣはランダム期間内に複数出現することになる。
【００８１】
　上記のフレームは、一定の規則に従って予め定められたパターンの同期信号ＳＹＮＣと、任意のデータとからなる固定長であるため、同期信号ＳＹＮＣは一定間隔で再生される。このため、再生時の同期信号ＳＹＮＣの検出方法には、ある時点で検出された同期信号ＳＹＮＣの次に再生されるべき同期信号ＳＹＮＣの再生時間位置が予想できるので、その予想再生時間位置を中心とした所定幅の同期信号検出用窓を上記の所定クロック数に同期させて生成し、この同期信号検出用窓部分において再生信号をゲート出力して同期信号ＳＹＮＣを検出する慣性モードと、再生信号からパターンサーチによって同期信号ＳＹＮＣを検出する検索モードの２種類がある。
【００８２】
　再生装置は、上記の検索モードにより同期信号ＳＹＮＣを検出している状態において、連続して一定回数、上記の同期信号検出用窓内に同期信号ＳＹＮＣが検出されるときには、上記の慣性モードへ移行して同期信号ＳＹＮＣの検出を行い、慣性モードにより同期信号ＳＹＮＣを検出している状態において、設定した同期信号検出用窓内に同期信号ＳＹＮＣが検出されない場合は擬似同期信号を挿入し、次の同期信号検出用窓は擬似同期信号に合わせて設定し、設定した同期信号検出用窓内に同期信号ＳＹＮＣが検出されない状態が連続して一定回数繰り返されたときには、上記の検索モードへ移行して同期信号ＳＹＮＣの検出を継続する。
【００８３】
　一方、本発明において、リサンプリングＤＰＬＬ１５における位相エラー検出方法を、入力信号が連続波期間（又は特定パターンの繰り返し期間）かランダム期間かにより、ゼロクロスタイミングによる第１の位相エラー検出方法か、自走タイミングによる第２の位相エラーかに切り替えてＰＬＬ動作（周波数及び位相の引き込み及びロック）を行うように状態を遷移させる目的は、アンブル期間（連続波期間又は特定パターンの繰り返し期間）で高速にＰＬＬ動作に引き込ませることであるため、直前まで安定して引き込んでいる状態、つまり、同期信号ＳＹＮＣが連続して検出できているのであれば、位相エラー検出方法を切り替えて、状態を変化させる必要はない。
【００８４】
　そこで、図３５に示した第４の実施の形態では、ＳＹＮＣ検出回路２２が前記慣性モードで同期信号ＳＹＮＣを検出できている場合には、ＨレベルのＳＹＮＣ検出状態フラグをリサンプリングＤＰＬＬ１５内の連続波期間／ランダム期間検出手段４１又は特定パターン繰り返し期間／ランダム期間検出手段４５に供給してランダム期間検出状態を保持させ、その位相エラー検出方法を切り替えず（切り替えを無効とし）、ゼロクロスタイミングによる第１の位相エラー検出方法による動作を継続して行わせる点に特徴がある。
【００８５】
　なお、ＳＹＮＣ検出回路２２が前記検索モードで同期信号ＳＹＮＣを検出している場合には、ＬレベルのＳＹＮＣ検出状態フラグをリサンプリングＤＰＬＬ１５内の連続波期間／ランダム期間検出手段４１又は特定パターン繰り返し期間／ランダム期間検出手段４５に供給し、連続波期間又は特定パターン繰り返し期間の検出に従い、その位相エラー検出方法を自走タイミングによる第２の位相エラー検出方法に切り替える（切り替えを有効とする）。
【００８６】
　従って、本実施の形態によれば、図３６（Ａ）に示すように再生信号の連続波期間が再生されるかなり以前に、同図（Ｄ）に示すように、ＳＹＮＣ検出状態フラグがＨレベルであるときには、同図（Ｃ）に示すように、リサンプリングＤＰＬＬ１５は、ゼロクロスタイミングによる第１の位相エラー検出方法による動作を、ランダム期間と同様に連続波期間でも継続して行う。
【００８７】
　これにより、本実施の形態の再生装置の状態遷移図は、図３８に示すようになる。同図中、ゼロクロスタイミングによる位相エラー抽出を行っている状態をＳ１、自走タイミングによる位相エラー抽出を行っている状態をＳ２とすると、ＳＹＮＣ検出状態フラグが反転（つまり、Ｌレベル）のときに状態Ｓ１からＳ２に遷移し、状態Ｓ１のときにＳＹＮＣ検出状態フラグがＨレベルのときは、状態Ｓ１のまま遷移しない。
【００８８】
　また、本実施の形態によれば、図３７（Ａ）に示すように、特定パターンの繰り返し期間のある再生信号を得る場合も、図３６と同様に、再生信号の特定パターン繰り返し期間が再生されるかなり以前に、図３７（Ｄ）に示すように、ＳＹＮＣ検出状態フラグがＨレベルであるときには、同図（Ｂ）に示すように、リサンプリングＤＰＬＬ１５は、ゼロクロスタイミングによる第１の位相エラー検出方法による動作を、ランダム期間と同様に特定パターン繰り返し期間でも継続して行う。
【００８９】
　これにより、本実施の形態の再生装置の状態遷移図は、図３９に示すようになる。図３９中、図３８と同一部分には同一符号を付してある。図３９に示すように、ＳＹＮＣ検出状態フラグが反転（つまり、Ｌレベル）のときに状態Ｓ１からＳ２に遷移し、状態Ｓ１のときにＳＹＮＣ検出状態フラグがＨレベルのときは、状態Ｓ１のまま遷移しない。なお、図３７（Ｃ）は図１９（Ｃ）と同一のスタート信号である。また、図３６（Ａ）、図３７（Ａ）中のＳｙｎｃは、ＳＹＮＣ検出回路２２が検出する同期信号ＳＹＮＣの一つである。
【００９０】
　なお、本発明は以上の実施の形態に限定されるものではなく、その他種々の変形例も包含するものである。例えば、図３に示した第１の実施の形態のリサンプリングＤＰＬＬ１５内の位相検出器３２を、図２１に示したような特定パターン繰り返し期間／ランダム期間検出手段４５により第１の位相エラー又は第２の位相エラーを選択する構成としてもよい。また、図１１、図１３に示した第２、第３の実施の形態のＰＬＬ回路１８、２０内の位相検出器１８１、２０１を、図５に示したような連続波期間／ランダム期間検出手段４１により第１の位相エラー又は第２の位相エラーを選択する構成としてもよい。更に、図３５に示した第４の実施の形態では、同期信号ＳＹＮＣを復号データから検出しているが、復号前の再生信号から同期信号ＳＹＮＣを検出することも可能である。
【００９１】
　また、上記の図１９乃至図２５と共に説明した本発明の実施の形態では、反転間隔抽出手段４５１により計数された反転間隔計数信号Ｃ（すなわち、入力信号の反転間隔の要素Ｙ（ｉ）：ただし、ｉは１以上の自然数）と、遅延（Ｄｅｌａｙ）回路４５２からの遅延信号Ｄ（すなわち、Ｙ（ｉ−Ｊ）：ただし、Ｊは入力信号の特定パターンの反転間隔の要素の数）との間に、Ｄ−１≦Ｃ≦Ｄ＋１を満足する状態が所定回数連続したときに、特定パターン繰り返し期間であるとみなして第２の位相エラーを選択するようにしているが、Ｄ−２≦Ｃ≦Ｄ、又はＤ≦Ｃ≦Ｄ＋２を満足する状態が所定回数連続した場合にも、特定パターン繰り返し期間であるとみなして第２の位相エラーを選択するようにしてもよい。
【００９２】
　また、上記のリサンプリング信号の遅延信号Ｄに替えて、特定パターンの反転間隔の要素Ｘ（ｋ）（ｋは１以上の自然数であり、特定パターン内のパターン要素の番号を表す）を用い、Ｘ（ｋ）−１≦Ｚ（ｉ＋ｋ）≦Ｘ（ｋ）＋１、又はＸ（ｋ）−２≦Ｚ（ｉ＋ｋ）≦Ｘ（ｋ）、又はＸ（ｋ）≦Ｚ（ｉ＋ｋ）≦Ｘ（ｋ）＋２のいずれか一つの不等式を満足する入力信号の反転間隔の要素Ｚ（ｉ）が所定回数連続した場合にも、特定パターン繰り返し期間であるとみなして第２の位相エラーを選択するようにしてもよい。
【００９３】
　また、上記の実施の形態では、反転間隔比較手段５０３は、反転間隔抽出手段５０１により抽出された反転間隔抽出信号Ａ（すなわち、反転間隔の要素Ｘ（ｉ））と、遅延（Ｄｅｌａｙ）回路５０２によりゼロクロスタイミング１回分遅らせられた遅延信号Ｂ（すなわち、反転間隔の要素Ｘ（ｉ＋１））との間に不等式Ａ＞２×Ｂを満足するときにパターンのスタート信号を出力し、リサンプリング信号の反転間隔Ｙ（ｉ）がＹ（ｉ＋１）＞Ｙ（ｉ）×２となるパターンを検出して要素比較の対象とするようにしているが、Ｘ（ｉ）＞Ｘ（ｉ＋１）×２となるパターンが存在することを利用し、Ｙ（ｉ）＞Ｙ（ｉ＋１）×２となるパターンを検出して要素比較の対象とするようにしてもよい。
【００９４】
　また、位相エラーを選択するＳＷ４４が第１の位相エラーを選択したときと、第２の位相エラーを選択したときとで、リサンプリングＤＰＬＬ１５又はＰＬＬ回路１８又はＰＬＬ回路２０のループゲインを切り替えるようにしてもよい。この場合、それぞれの期間の長さ、位相エラーの出力される頻度が異なる場合に、それぞれの特性に最も適したゲインに設定することで、システムとして最適な特性に近付けることが可能となる。
【００９５】
　また、位相エラー選択手段であるＳＷ４４は、第２の位相エラーのうち、反転間隔が長い（特定パターン繰り返し期間に存在する反転間隔のうち、相対的に長い）一部のエラーのみを出力してもよい。この場合、周波数が大きくずれた状態でも正しいエラーを出力することができる。その理由は、周波数が大きくずれると、短い反転間隔のものはクロックのサンプリングにかからない可能性もでてくるため、反転していること自体が認識されず、正しい判定・正しいエラーの出力ができなくなる。その結果、誤ったエラーに影響されて引き込むことができなくなる。これに対し、比較的長い反転間隔のものは少なくともクロックのサンプリングにかかるので、正しいエラーを出力することができる。これにより、リサンプリングＤＰＬＬ１５又はＰＬＬ回路１８、２０の引き込み範囲を大幅に拡大でき、確実に引き込むことができる。
【００９６】
　また、前述のように、特定パターン繰り返し期間検出手段／ランダム期間検出手段４５は、特定パターン繰り返し期間を検出した後、予め設定しておいたクロック数に達した時点で検出手段４５の動作が終了したものとみなして、ランダム期間検出信号を出力して、位相エラー選択手段であるＳＷ４４に供給し、第１の位相エラーを選択させるようにしてもよい。この場合は、ランダム期間への復帰を確実なものとし、誤動作を防止することができる。
【００９７】
　ここで、上記の特定パターンは５Ｔ・５Ｔ・３Ｔ・３Ｔ・２Ｔ・２Ｔ（ただし、Ｔは記録ディジタル信号のビット周期）としてもよい。この場合、最も２Ｔと５Ｔの区別がつきやすく、かつ、パーシャルレスポンス等化に適したサンプル点を網羅した無駄のないパターンとなる特徴がある。
【００９８】
　更に、本発明の再生装置は、Ａ／Ｄ変換器１４以降の回路はディジタル処理であり、データレート及び中央処理装置（ＣＰＵ）の許す範囲では、すべてコンピュータプログラムによるソフトウェア処理ができる。このため、Ａ／Ｄ変換器１４の後段の前述した信号処理回路部と同等の処理を、コンピュータによるソフトウェア処理で行わせ得るプログラムも本発明は包含するものである。
【図面の簡単な説明】
【００９９】
【図１】連続波期間を有する代表的な再生信号の例と、第１の発明の動作原理を示す図である。
【図２】図１の発明の状態遷移図である。
【図３】本発明になる再生装置の第１の実施の形態のブロック図である。
【図４】本発明装置の要部のリサンプリングＤＰＬＬ回路の一例のブロック図である。
【図５】図４中の位相検出器の一実施の形態のブロック図である。
【図６】図５中の第１の位相エラー検出手段と第２の位相エラー検出手段の位相エラー抽出の違いを示した図である。
【図７】図５中の第１の位相エラー検出手段の一実施の形態のブロック図である。
【図８】図５中の第２の位相エラー検出手段の一実施の形態のブロック図である。
【図９】図５中の連続波期間／ランダム期間検出手段の一実施の形態のブロック図である。
【図１０】図９中のＭＴＸ手段の動作説明用フローチャートである。
【図１１】本発明になる再生装置の第２の実施の形態のブロック図である。
【図１２】図１１中のＰＬＬ回路の一例のブロック図である。
【図１３】本発明になる再生装置の第３の実施の形態のブロック図である。
【図１４】図１３中のＰＬＬ回路の一例のブロック図である。
【図１５】第１の実施の形態を用いない従来の再生装置の要部の信号波形図である。
【図１６】図１５の一部を拡大した信号波形図である。
【図１７】第１の実施の形態を用いた場合の要部の信号波形図である。
【図１８】図１７の一部を拡大した信号波形図である。
【図１９】特定パターン繰り返し期間を有する代表的な再生信号の例と、第２の発明の動作原理を示す図である。
【図２０】図１９の発明の状態遷移図である。
【図２１】本発明になる再生装置の第２及び第３の実施の形態の要部をなすＰＬＬ回路内の位相検出器の一実施の形態のブロック図である。
【図２２】図２１中の第２の位相エラー検出手段の一実施の形態のブロック図である。
【図２３】図２２中のエラータイミング発生手段の一例のブロック図である。
【図２４】図２１中の特定パターン繰り返し期間／ランダム期間検出手段の一実施の形態のブロック図である。
【図２５】図２４中のＭＴＸ手段の動作説明用フローチャートである。
【図２６】ゼロクロスを用いた位相エラー検出だけの従来の再生装置の要部の信号波形図である。
【図２７】図２６の一部を拡大した信号波形図である。
【図２８】図１９乃至図２５の例を用いた実施の形態の要部の信号波形図である。
【図２９】図２８の一部を拡大した信号波形図である。
【図３０】長さ検出をする実施の形態の要部の信号波形図である。
【図３１】図３０の一部を拡大した信号波形図である。
【図３２】ＤＶＤ−ＲＡＭにおける、書き換え領域のセクタのレイアウトである。
【図３３】図３２のＶＦＯ１、２、３の領域のレイアウトである。
【図３４】ゼロクロス情報をもとに、ＰＬＬの位相エラーを出力するとき、正しいスレッショールドレベルにないときの認識不能の様子を示す図である。
【図３５】本発明になる再生装置の第４の実施の形態のブロック図である。
【図３６】連続波期間を有する再生信号に対する図３５の実施の形態の動作説明用タイミングチャートである。
【図３７】特定パターンの繰り返し期間を有する再生信号に対する図３５の実施の形態の動作説明用タイミングチャートである。
【図３８】連続波期間を有する再生信号に対する図３５の実施の形態の状態遷移図である。
【図３９】特定パターンの繰り返し期間を有する再生信号に対する図３５の実施の形態の状態遷移図である。
【符号の説明】
【０１００】
　１１　光ディスク
　１２　ＰＤヘッドアンプ
　１３　低域フィルタ（ＬＰＦ）
　１４、１７　Ａ／Ｄ変換器
　１５　リサンプリングＤＰＬＬ
　１６、１９　復号回路
　１８、２０　ＰＬＬ回路
　２２　ＳＹＮＣ検出回路
　３１　補間器
　３２　位相検出器
　３３　ループフィルタ
　３４　タイミング発生器
　４１　連続波期間／ランダム期間検出手段
　４２　位相エラー検出手段（ゼロクロスタイミング）
　４３、４６　位相エラー検出手段（自走タイミング）
　４４、４２４、４２６、４３４、４３６　スイッチ手段（ＳＷ）
　４５　特定パターン繰り返し期間／ランダム期間検出手段
　４１２ａ、４１２ｂ、４１２ｃ　反転間隔比較手段
　４１３ａ、４１３ｂ、４１３ｃ　連続回数計数手段
　４１４　ＯＲ回路
　４１６、４５５　マトリックス（ＭＴＸ）手段
　４１５、４５４　ランダム期間検出手段
　４２１　ゼロクロス検出手段
　４２２　立ち上がり／立下がり検出手段
　４２３、４３３　極性反転手段
　４２５、４３５　ゼロ発生手段
　４３１、４６１　エラータイミング発生手段
　４３２、４６２　極性制御手段
　４１１、４５１、５０１　反転間隔抽出手段
　４５２、５０２　遅延回路（Ｄｅｌａｙ）
　４５３　連続性検出手段
　５０３　反転間隔比較手段
　５０４　反転間隔生成手段
　５０５　極性決定手段
【図１】
2004095151.tif 000003
【図２】
2004095151.tif 000004
【図３】
2004095151.tif 000005
【図４】
2004095151.tif 000006
【図５】
2004095151.tif 000007
【図６】
2004095151.tif 000008
【図７】
2004095151.tif 000009
【図８】
2004095151.tif 000010
【図９】
2004095151.tif 000011
【図１０】
2004095151.tif 000012
【図１１】
2004095151.tif 000013
【図１２】
2004095151.tif 000014
【図１３】
2004095151.tif 000015
【図１４】
2004095151.tif 000016
【図１５】
2004095151.tif 000017
【図１６】
2004095151.tif 000018
【図１７】
2004095151.tif 000019
【図１８】
2004095151.tif 000020
【図１９】
2004095151.tif 000021
【図２０】
2004095151.tif 000022
【図２１】
2004095151.tif 000023
【図２２】
2004095151.tif 000024
【図２３】
2004095151.tif 000025
【図２４】
2004095151.tif 000026
【図２５】
2004095151.tif 000027
【図２６】
2004095151.tif 000028
【図２７】
2004095151.tif 000029
【図２８】
2004095151.tif 000030
【図２９】
2004095151.tif 000031
【図３０】
2004095151.tif 000032
【図３１】
2004095151.tif 000033
【図３２】
2004095151.tif 000034
【図３３】
2004095151.tif 000035
【図３４】
2004095151.tif 000036
【図３５】
2004095151.tif 000037
【図３６】
2004095151.tif 000038
【図３７】
2004095151.tif 000039
【図３８】
2004095151.tif 000040
【図３９】
2004095151.tif 000041